(57)【特許請求の範囲】
【請求項１】
運転の作業手順を示した運転マニュアルを作成する運転マニュアルの作成装置であって、
手動操作主体で運転を行ったときに得られたタイムスタンプ付の操作履歴を保存する履歴保存手段と、
手動操作主体の運転で行う作業を絵で表わしたアイコンをオブジェクト化して用意しておくアイコン用メモリと、
前記操作履歴を取り込み、取り込んだ操作履歴を前記アイコン用メモリに用意しておいたオブジェクト化したアイコンと突き合わせ、操作履歴に記述された作業を行うアイコンをアイコンの作業名から見付け、見付けたアイコンを対応する操作履歴に付いたタイムスタンプの順番に従って画面上に配列し、操作履歴に記述されたパラメータ値を対応するアイコンに設定して運転マニュアルを作成するとともに、オブジェクト化したアイコンを配列することにより運転マニュアルを実行するプログラムを作成する運転マニュアル作成手段と、
を有することを特徴とする運転マニュアルの作成装置。
【請求項２】
操作履歴に記述された作業を行うアイコンが見つからないときは、操作履歴に書かれたメッセージを画面表示するメッセージ手段を有することを特徴とする請求項１記載の運転マニュアルの作成装置。
【請求項３】
運転の作業手順を示した運転マニュアルを作成する運転マニュアルの作成方法であって、
手動操作主体の運転で行う作業を絵で表わしたアイコンをオブジェクト化してアイコン用メモリに用意しておき、次の手順で運転マニュアルを作成することを特徴とする運転マニュアルの作成方法。
（ａ）手動操作主体で運転を行ったときに得られたタイムスタンプ付の操作履歴を取り込む工程。
（ｂ）取り込んだ操作履歴を前記用意しておいたオブジェクト化したアイコンと突き合わせ、操作履歴に記述された作業を行うアイコンをアイコンの作業名から見付ける工程。
（ｃ）見付けたアイコンを対応する操作履歴に付いたタイムスタンプの順番に従って画面上に配列し、操作履歴に記述されたパラメータ値を対応するアイコンに設定して運転マニュアルを作成する工程。
【発明の詳細な説明】
【０００１】
【発明の属する技術分野】
本発明は、運転の作業手順を示した運転マニュアルを作成する運転マニュアルの作成装置及び作成方法に関するものである。
【０００２】
【従来の技術】
化学プラント、鉄鋼プラント等では、安全なプラント運転を保証するために、運転の作業手順を示した運転マニュアルを作ることが法律で義務付けられている。この運転マニュアルは、主にプラントメーカ等によって作られる。
【０００３】
図６は運転マニュアルの一例を示した図である。
図６はプラントＡをスタートアップする手順を示したマニュアルである。
このマニュアルでは、ポンプＰ１００Ａ，Ｐ２００Ａの起動準備の作業手順を示している。手順は次のとおりである。
（１）吐出弁ＨＶ１００Ａ，ＨＶ２００Ａの閉止を現場に確認してもらう。
（２）ポンプＰ１００Ａ，Ｐ２００Ａの起動前確認を現場に依頼する。
（３）ＤＣＳ（分散型制御システム）によりポンプＰ１００Ａを起動し、ポンプの設定量ＳＶ＝１にする。
（４）ポンプＰ１００Ａのプロセス量ＰＶ＝２になっているかを確認する。プロセス量ＰＶは設定量ＳＶに対するアンサーバックになる。この場合のプロセス量ＰＶはポンプの吐出流量である。現場でポンプの吐出流量が指示どおりになっているかを確認してもらう。
【０００４】
図６の運転マニュアルでは、例えばポンプＰ１００Ａのプロセス量ＰＶ＝２にならない場合はどのような処置を施せばよいかは記述していない。このため、未熟な新人運転員ではなすすべがなくなってしまう。
【０００５】
このように従来の運転マニュアルでは通り一遍の手順は記述されているが、不測の事態が発生した場合の処置までは書いていなかった。このため、新人運転員では安全な運転を保証できないことがあるという問題点があった。
【０００６】
【発明が解決しようとする課題】
本発明は上述した問題点を解決するためになされたものであり、手動操作主体で運転を行ったときに得られたタイムスタンプ付の操作履歴とアイコンを組み合わせて運転マニュアルを作成することによって、新人運転員にとって分かりやすい運転マニュアルを作成できる運転マニュアルの作成装置及び作成方法を実現することを目的とする。
【０００７】
【課題を解決するための手段】
本発明は次のとおりの構成になった運転マニュアルの作成装置及び作成方法である。
【０００８】
（１）運転の作業手順を示した運転マニュアルを作成する運転マニュアルの作成装置であって、
手動操作主体で運転を行ったときに得られたタイムスタンプ付の操作履歴を保存する履歴保存手段と、
手動操作主体の運転で行う作業を絵で表わしたアイコンをオブジェクト化して用意しておくアイコン用メモリと、
前記操作履歴を取り込み、取り込んだ操作履歴を前記アイコン用メモリに用意しておいたオブジェクト化したアイコンと突き合わせ、操作履歴に記述された作業を行うアイコンをアイコンの作業名から見付け、見付けたアイコンを対応する操作履歴に付いたタイムスタンプの順番に従って画面上に配列し、操作履歴に記述されたパラメータ値を対応するアイコンに設定して運転マニュアルを作成するとともに、オブジェクト化したアイコンを配列することにより運転マニュアルを実行するプログラムを作成する運転マニュアル作成手段と、
を有することを特徴とする運転マニュアルの作成装置。
【０００９】
（２）操作履歴に記述された作業を行うアイコンが見つからないときは、操作履歴に書かれたメッセージを画面表示するメッセージ手段を有することを特徴とする（１）記載の運転マニュアルの作成装置。
【００１１】
（３）運転の作業手順を示した運転マニュアルを作成する運転マニュアルの作成方法であって、
手動操作主体の運転で行う作業を絵で表わしたアイコンをオブジェクト化してアイコン用メモリに用意しておき、次の手順で運転マニュアルを作成することを特徴とする運転マニュアルの作成方法。
（ａ）手動操作主体で運転を行ったときに得られたタイムスタンプ付の操作履歴を取り込む工程。
（ｂ）取り込んだ操作履歴を前記用意しておいたオブジェクト化したアイコンと突き合わせ、操作履歴に記述された作業を行うアイコンをアイコンの作業名から見付ける工程。
（ｃ）見付けたアイコンを対応する操作履歴に付いたタイムスタンプの順番に従って画面上に配列し、操作履歴に記述されたパラメータ値を対応するアイコンに設定して運転マニュアルを作成する工程。
【００１２】
【発明の実施の形態】
以下図面を用いて本発明を詳しく説明する。
図１は本発明の一実施例を示す構成図である。
図１で、プラント運転装置１はプラントＰＬＴを運転する。
履歴保存手段１０は、プラント運転装置１が手動操作主体でプラント運転を行ったときに得られたタイムスタンプ付の操作履歴を保存する。図２に操作履歴の一例を示す。操作履歴の「発生時刻」がタイムスタンプである。
【００１３】
アイコン用メモリ１１は、手動操作主体のプラント運転で行う作業を絵で表わしたアイコンをオブジェクト化して用意する。図３にアイコンの例を示す。図３に示すように、アイコンは作業名と作業内容を表わす絵柄からなる。
アイコン生成手段１２は、新たにアイコンを生成する。生成したアイコンはアイコン用メモリ１１に取り込まれる。
【００１４】
運転マニュアル作成手段１３は次の処理を行う。履歴保存手段１０から操作履歴を取り込み、取り込んだ操作履歴をアイコン用メモリ１１に用意しておいたアイコンと突き合わせ、操作履歴に記述された作業を行うアイコンを見付ける。見付けたアイコンを対応する操作履歴に付いたタイムスタンプの順番に従って画面上に配列し、操作履歴に記述されたパラメータ値を対応するアイコンに設定して運転マニュアルを作成する。これとともに、オブジェクト化したアイコンを配列することにより運転マニュアルを実行するプログラムを作成する。作成されたプログラムは記憶手段１４に落し込まれる。
【００１５】
表示手段１５は、運転マニュアル作成手段１３で作成した運転マニュアルを表示する。図４に運転マニュアルの表示例を示す。また、表示手段１５は、アイコン用メモリ１１に用意しておいたアイコンを表示する。
入力手段１６は、例えば、マウス、キーボード等で、入力操作を行う。
【００１６】
メッセージ手段１７は、操作履歴に記述された作業を行うアイコンが見つからないときは、操作履歴に書かれたメッセージを画面表示する。
アイコン探索手段１８は、操作履歴に記述された作業を行うアイコンが見つからないときは、作業の記述を翻訳し、用意したアイコンを複合的に組み合わせて既存のアイコンで作業ができるかどうかを調べる。
【００１７】
図１の実施例の動作を説明する。
図２乃至図４を例に挙げて説明する。
手動操作主体のプラント運転を行ったときに、図２に示すタイムスタンプ付の操作履歴が得られる。この操作履歴は履歴保存手段１０に保存される。
操作履歴の行Ｌ１における「ＶＡＬＶＥ  ＭＡＮ  ｏｌｄ＝ＡＵＴＯ」はバルブの操作モードを自動操作から手動操作に切り替える作業を記述している。運転マニュアル作成手段１３は操作モードを切り替える作業を行うアイコンを探す。図３のアイコンの中で「タグモード変更」の作業名が付いたアイコンが操作モードの切替作業を行う。従って、操作履歴の行Ｌ１に記述された作業と「タグモード変更」のアイコンを対応させる。
【００１８】
操作履歴の行Ｌ２における「ＶＡＬＶＥ  ＭＶ＝２  ｏｌｄ＝０」はバルブの操作量（弁の開度）を０％から２％に変更する作業を記述している。図３のアイコンの中で「ＤＣＳデータ設定」の作業名が付いたアイコンが操作量の変更作業を行う。従って、操作履歴の行Ｌ２に記述された作業と「ＤＣＳデータ設定」のアイコンを対応させる。操作履歴に記述されたパラメータ値「２％」と「０％」は対応するアイコンにセットされる。
【００１９】
同様に、操作履歴の行Ｌ３における「ＶＡＬＶＥ  ＭＶ＝０  ｏｌｄ＝２」はバルブの操作量を２％から０％に変更することを記述している。この場合も「ＤＣＳデータ設定」のアイコンを対応させる。パラメータ値「０％」と「２％」は対応するアイコンにセットされる。
【００２０】
作業の開始と終了には図３の「開始」と「終了」のアイコンを対応させる。
それぞれ対応させたアイコンを操作履歴に付いた「発生時刻」（タイムスタンプ）の順番に従って並べることによって、図４に示す運転マニュアルが画面上に作成される。これと同時に運転マニュアルを実行するためのプログラムが作成される。
図４に示すように、運転マニュアルで行う各作業には、作業を行うアイコンが絵柄で示されている。
このようにして、プラント運転で得た操作履歴とアイコンを組み合わせることにより、実際の状況に即した運転マニュアルが作成される。
【００２１】
操作履歴に記述された作業を行うアイコンが見つからない場合は、画面の余白部分に操作履歴に書かれたメッセージを画面表示する。例えば、図２の画面で操作履歴の行Ｌ４に記述された作業を行うアイコンが見つからず、複数のアイコンを複合的に組み合わせても作業を行うことができないときは、行Ｌ４のメッセージ欄に書かれたメッセージを図４の画面の余白部分に表示する。
【００２２】
図５は運転マニュアルの他の例を示した図である。
この運転マニュアルでは、「ポンプ起動」が行われた場合と行われない場合に分けた分岐処理が設けられている。これによって、不測の事態が発生したときに、新人運転員でも対処できるよう記載になっている。
【００２３】
なお、実施例ではプラント運転の運転マニュアルを作成する場合について説明したが、プラントに限らず工作機械、半導体製造装置等の小規模な装置の運転マニュアルを作成する場合に適用してもよい。
【００２４】
【発明の効果】
本発明によれば次の効果が得られる。
【００２５】
請求項１及び請求項３の発明では、手動操作主体で運転を行ったときに得られたタイムスタンプ付の操作履歴とアイコンを組み合わせて運転マニュアルを作成している。このため、運転マニュアルは実際のプラント運転に即したマニュアルとなる。これによって、新人運転員にとって分かりやすい運転マニュアルを作成できる。
【００２６】
請求項２の発明によれば、操作履歴に記述された作業を行うアイコンが見つからないことを画面上で容易に認識できる。
【図面の簡単な説明】
【図１】本発明の一実施例を示す構成図である。
【図２】本発明の動作説明図である。
【図３】本発明の動作説明図である。
【図４】本発明の動作説明図である。
【図５】本発明の動作説明図である。
【図６】運転マニュアルの他の例を示した図である。
【符号の説明】
１０  履歴保存手段
１１  アイコン用メモリ
１３  運転マニュアル作成手段
１５  表示手段
１７  メッセージ表示手段
１８  アイコン探索手段
【図１】
0003921903.tif 000002
【図２】
0003921903.tif 000003
【図３】
0003921903.tif 000004
【図４】
0003921903.tif 000005
【図５】
0003921903.tif 000006
【図６】
0003921903.tif 000007